(57)【要約】【課題】ユーザの必要に応じて拡張することができ、拡張しても構造的一体性を維持することができる上、簡便に操作することができるデジタルセットトップユニットを提供する。【解決手段】デジタルセットトップユニットは、第１の筐体１１、第１の拡張回路基板１２及び第１の回路基板１３を備えた第１の本体１を含む。第１の筐体１１は、第５の開口１１３、第１の組み合わせ面１１１及び第２の組み合わせ面１１２を有する。第１の組み合わせ面１１１は、第１の接合部１１１１及び第１の開口１１１２を有する。第２の組み合わせ面１１２は、第２の接合部１１２１及び第２の開口１１２２を有する。第１の拡張回路基板１２は、第１の筐体１１内に配置されるとともに、第１の電気接続ユニット１２１及び第２の電気接続ユニットを有する。【選択図】図１
2013126251.tif 000002
【特許請求の範囲】
【請求項１】
第１の筐体、第１の拡張回路基板及び第１の回路基板を備えた第１の本体を含むデジタルセットトップユニットであって、
前記第１の筐体は、第５の開口、第１の組み合わせ面及び第２の組み合わせ面を有し、前記第１の組み合わせ面は、第１の接合部及び第１の開口を有し、前記第２の組み合わせ面は、第２の接合部及び第２の開口を有し、
前記第１の拡張回路基板は、前記第１の筐体内に配置されるとともに、第１の電気接続ユニット及び第２の電気接続ユニットを有し、前記第１の電気接続ユニット及び前記第２の電気接続ユニットは、前記第１の開口及び前記第２の開口を介して前記第１の筐体からそれぞれ露出され、
前記第１の回路基板は、前記第１の筐体内に配置されるとともに、前記第１の拡張回路基板と電気的に接続され、前記第１の回路基板は、第１の処理ユニット及び第１の伝送ユニットを有し、前記第１の処理ユニットは、前記第１の拡張回路基板及び前記第１の伝送ユニットと電気的に接続されるとともに、前記第５の開口を介して前記第１の筐体から露出されることを特徴とするデジタルセットトップユニット。
【請求項２】
前記第１の組み合わせ面の縁部と、前記第２の組み合わせ面の縁部とには、着脱自在槽がそれぞれ設けられていることを特徴とする請求項１に記載のデジタルセットトップユニット。
【請求項３】
前記第１の組み合わせ面は、第１の位置決めユニットを有し、
前記第２の組み合わせ面は、第２の位置決めユニットを有することを特徴とする請求項１に記載のデジタルセットトップユニット。
【請求項４】
前記第１の伝送ユニットは、リモコン受信器、データ伝送コネクタ、音声・ビデオ伝送コネクタ、ネットワーク伝送コネクタ及び赤外線トランシーバからなる群から選ばれることを特徴とする請求項１に記載のデジタルセットトップユニット。
【請求項５】
第２の筐体、第２の拡張回路基板及び第２の回路基板を備えた第２の本体を含むデジタルセットトップユニットであって、
前記第２の筐体は、第３の組み合わせ面及び第４の組み合わせ面を有し、前記第３の組み合わせ面は、第３の接合部及び第３の開口を有し、前記第４の組み合わせ面は、第４の接合部及び第４の開口を有し、
前記第２の拡張回路基板は、前記第２の筐体内に配置されるとともに、第３の電気接続ユニット及び第４の電気接続ユニットを有し、前記第３の電気接続ユニット及び前記第４の電気接続ユニットは、前記第３の開口及び前記第４の開口を介して前記第２の筐体からそれぞれ露出され、
前記第２の回路基板は、前記第２の筐体内に配置され、前記第２の拡張回路基板と電気的に接続されるとともに、第２の処理ユニット及び電子ユニットを有し、
前記第２の処理ユニットは、前記第２の拡張回路基板及び前記電子ユニットと電気的に接続されることを特徴とするデジタルセットトップユニット。
【請求項６】
前記第２の筐体は、複数の第６の開口を有し、
前記電子ユニットは、デジタルアンテナ及び音声・ビデオ伝送コネクタを有し、
前記デジタルアンテナ及び前記音声・ビデオ伝送コネクタは、前記第２の処理ユニットと電気的に接続され、
前記デジタルアンテナ及び前記音声・ビデオ伝送コネクタは、前記第６の開口を介して前記第２の筐体から露出されることを特徴とする請求項５に記載のデジタルセットトップユニット。
【請求項７】
前記電子ユニットは、前記第２の処理ユニットと電気的に接続されたハードディスクドライブを有することを特徴とする請求項５に記載のデジタルセットトップユニット。
【請求項８】
前記第３の組み合わせ面の縁部と、前記第４の組み合わせ面の縁部とには、着脱自在槽がそれぞれ設けられることを特徴とする請求項５に記載のデジタルセットトップユニット。
【請求項９】
前記第３の組み合わせ面は、第３の位置決めユニットを有し、
前記第４の組み合わせ面は、第４の位置決めユニットを有することを特徴とする請求項５に記載のデジタルセットトップユニット。
【請求項１０】
第１の本体及び第２の本体を備えたデジタルセットトップユニットであって、
前記第１の本体は、第１の筐体と、前記第１の筐体内に配置された第１の拡張回路基板と、前記第１の拡張回路基板と電気的に接続された第１の回路基板と、を有し、前記第１の筐体は、第５の開口、第１の組み合わせ面及び第２の組み合わせ面を有し、前記第１の組み合わせ面は、第１の接合部を有し、前記第２の組み合わせ面は、第２の接合部を有し、前記第１の回路基板は、第１の伝送ユニットを有し、前記第１の伝送ユニットは、前記第５の開口を介して前記第１の筐体から露出され、
前記第２の本体は、第２の筐体と、前記第２の筐体内に配置された第２の拡張回路基板と、前記第２の拡張回路基板と電気的に接続された第２の回路基板と、を有し、前記第２の筐体は、第３の組み合わせ面及び第４の組み合わせ面を有し、前記第３の組み合わせ面は、第３の接合部を有し、前記第４の組み合わせ面は、第４の接合部を有し、
前記第１の筐体と前記第２の筐体とは、第１の接合部、第２の接合部、第３の接合部及び第４の接合部を介して組み合わされることを特徴とするデジタルセットトップユニット。
【請求項１１】
前記第１の組み合わせ面は、第１の開口を有し、
前記第２の組み合わせ面は、第２の開口を有し、
前記第１の拡張回路基板は、第１の電気接続ユニット及び第２の電気接続ユニットを有し、
前記第１の回路基板は、第１の処理ユニットを有し、前記第１の処理ユニットは、前記第１の拡張回路基板と電気的に接続され、
前記第１の伝送ユニットは、前記第１の処理ユニットと電気的に接続され、前記第１の電気接続ユニット及び前記第２の電気接続ユニットは、前記第１の開口及び前記第２の開口を介して前記第１の筐体から露出されることを特徴とする請求項１０に記載のデジタルセットトップユニット。
【請求項１２】
前記第３の組み合わせ面は、第３の開口を有し、
前記第４の組み合わせ面は、第４の開口を有し、
前記第２の拡張回路基板は、第３の電気接続ユニット及び第４の電気接続ユニットを有し、
前記第２の回路基板は、第２の処理ユニット及び電子ユニットを有し、前記第２の処理ユニットは、前記第２の拡張回路基板と電気的に接続され、
前記電子ユニットは、前記第２の処理ユニットと電気的に接続され、
前記第３の電気接続ユニット及び前記第４の電気接続ユニットは、前記第３の開口及び前記第４の開口を介して前記第２の筐体からそれぞれ露出されることを特徴とする請求項１１に記載のデジタルセットトップユニット。
【請求項１３】
前記第３の接合部は、前記第１の本体の前記第１の接合部、前記第１の本体の前記第２の接合部、前記第２の本体の前記第３の接合部及び前記第２の本体の前記第４の接合部からなる群から選ばれる１つに接合され、
前記第４の接合部は、前記第２の本体の前記第３の接合部及び前記第２の本体の前記第４の接合部からなる群から選ばれる１つに接合されることを特徴とする請求項１０に記載のデジタルセットトップユニット。
【請求項１４】
前記第３の電気接続ユニットは、前記第１の本体の前記第１の電気接続ユニット、前記第１の本体の前記第２の電気接続ユニット、前記第２の本体の前記第３の電気接続ユニット及び前記第２の本体の前記第４の電気接続ユニットからなる群から選ばれる１つと電気的に接続され、
前記第４の電気接続ユニットは、前記第２の本体の前記第３の電気接続ユニット及び前記第２の本体の前記第４の電気接続ユニットからなる群から選ばれる１つと電気的に接続されることを特徴とする請求項１２に記載のデジタルセットトップユニット。
【請求項１５】
前記第２の筐体は、複数の第６の開口を有し、
前記電子ユニットは、デジタルアンテナ及び音声・ビデオ伝送コネクタを有し、
前記デジタルアンテナ及び前記音声・ビデオ伝送コネクタは、前記第２の処理ユニットと電気的に接続されるとともに、前記第６の開口を介して前記第２の筐体から露出されることを特徴とする請求項１２に記載のデジタルセットトップユニット。
【請求項１６】
前記電子ユニットは、前記第２の処理ユニットと電気的に接続されたハードディスクドライブを有することを特徴とする請求項１２に記載のデジタルセットトップユニット。
【請求項１７】
前記第１の筐体の前記第１の組み合わせ面の縁部と、前記第２の組み合わせ面の縁部とには、着脱自在槽がそれぞれ設けられ、
前記第２の筐体の前記第３の組み合わせ面の縁部と、前記第４の組み合わせ面の縁部とには、着脱自在槽がそれぞれ設けられることを特徴とする請求項１０に記載のデジタルセットトップユニット。
【請求項１８】
前記第１の組み合わせ面は、第１の位置決めユニットを有し、
前記第２の組み合わせ面は、第２の位置決めユニットを有し、
前記第３の組み合わせ面は、第３の位置決めユニットを有し、
前記第４の組み合わせ面は、第４の位置決めユニットを有し、
前記第３の位置決めユニットは、前記第１の本体の前記第１の位置決めユニット、前記第１の本体の前記第２の位置決めユニット、前記第２の本体の前記第３の位置決めユニット及び前記第２の本体の前記第４の位置決めユニットからなる群から選ばれる１つを用いて位置決めを行い、
前記第４の位置決めユニットは、前記第２の本体の前記第３の位置決めユニット及び前記第２の本体の前記第４の位置決めユニットを用いて位置決めを行うことを特徴とする請求項１０に記載のデジタルセットトップユニット。
【請求項１９】
前記第１の伝送ユニットは、リモコン受信器、データ伝送コネクタ、メモリカードスロット、音声・ビデオ伝送コネクタ、ネットワーク伝送コネクタ及び赤外線トランシーバからなる群から選ばれることを特徴とする請求項１０に記載のデジタルセットトップユニット。
【発明の詳細な説明】
【技術分野】
【０００１】
本発明は、デジタルセットトップユニット（ｄｉｇｉｔａｌ  ｓｅｔ-ｔｏｐ  ｕｎｉｔ）に関し、特に、拡張可能なデジタルセットトップユニットに関する。
【背景技術】
【０００２】
近年、電子機器の発達により、人々は様々な機器（例えば、ラジオ、コンピュータ、携帯電話、テレビなど）を介して情報を得ることが一般的である。なかでもテレビは最も利用されている機器であり、テレビを介して人々は様々な情報を得たり、娯楽を楽しんだりすることができる。通常、テレビにより情報を得たり娯楽を楽しんだりする場合、例えば、デジタルテレビ用のセットトップボックス、コンピュータゲーム用のセットトップボックス、ＤＶＤ鑑賞用のセットトップボックス、インターネット用のセットトップボックス、録画用のセットトップボックスなど、各種セットトップボックスを購入しなければならなかった。しかしセットトップボックスは、テレビの周囲が雑然となり、各種セットトップボックスには、専用のコントローラ（リモコン）が必要であり、コントローラの操作が複雑である上、１台のセットトップボックスでは、機能を拡張することができずにユーザのニーズを満足させることができなかった。
【０００３】
そのため、ユーザの必要に応じて柔軟に拡張し、拡張しても構造的一体性を維持することができる上、簡便に操作することができるデジタルセットトップユニットが求められていた。
【発明の概要】
【発明が解決しようとする課題】
【０００４】
本発明の目的は、ユーザの必要に応じて柔軟に拡張し、拡張しても構造的一体性を維持することができる上、簡便に操作することができるデジタルセットトップユニットを提供することにある。
【課題を解決するための手段】
【０００５】
上記課題を解決するために、本発明の第１の形態によれば、第１の筐体、第１の拡張回路基板及び第１の回路基板を備えた第１の本体を含むデジタルセットトップユニットであって、前記第１の筐体は、第５の開口、第１の組み合わせ面及び第２の組み合わせ面を有し、前記第１の組み合わせ面は、第１の接合部及び第１の開口を有し、前記第２の組み合わせ面は、第２の接合部及び第２の開口を有し、前記第１の拡張回路基板は、前記第１の筐体内に配置されるとともに、第１の電気接続ユニット及び第２の電気接続ユニットを有し、前記第１の電気接続ユニット及び前記第２の電気接続ユニットは、前記第１の開口及び前記第２の開口を介して前記第１の筐体からそれぞれ露出され、前記第１の回路基板は、前記第１の筐体内に配置されるとともに、前記第１の拡張回路基板と電気的に接続され、前記第１の回路基板は、第１の処理ユニット及び第１の伝送ユニットを有し、前記第１の処理ユニットは、前記第１の拡張回路基板及び前記第１の伝送ユニットと電気的に接続されるとともに、前記第５の開口を介して前記第１の筐体から露出されることを特徴とするデジタルセットトップユニットが提供される。
【０００６】
また、前記第１の組み合わせ面の縁部と、前記第２の組み合わせ面の縁部とには、着脱自在槽がそれぞれ設けられることが好ましい。
【０００７】
また、前記第１の組み合わせ面は、第１の位置決めユニットを有し、前記第２の組み合わせ面は、第２の位置決めユニットを有することが好ましい。
【０００８】
また、前記第１の伝送ユニットは、リモコン受信器、データ伝送コネクタ、音声・ビデオ伝送コネクタ、ネットワーク伝送コネクタ及び赤外線トランシーバからなる群から選ばれることが好ましい。
【０００９】
上記課題を解決するために、本発明の第２の形態によれば、第２の筐体、第２の拡張回路基板及び第２の回路基板を備えた第２の本体を含むデジタルセットトップユニットであって、前記第２の筐体は、第３の組み合わせ面及び第４の組み合わせ面を有し、前記第３の組み合わせ面は、第３の接合部及び第３の開口を有し、前記第４の組み合わせ面は、第４の接合部及び第４の開口を有し、前記第２の拡張回路基板は、前記第２の筐体内に配置されるとともに、第３の電気接続ユニット及び第４の電気接続ユニットを有し、前記第３の電気接続ユニット及び前記第４の電気接続ユニットは、前記第３の開口及び前記第４の開口を介して前記第２の筐体からそれぞれ露出され、前記第２の回路基板は、前記第２の筐体内に配置され、前記第２の拡張回路基板と電気的に接続されるとともに、第２の処理ユニット及び電子ユニットを有し、前記第２の処理ユニットは、前記第２の拡張回路基板及び前記電子ユニットと電気的に接続されることを特徴とするデジタルセットトップユニットが提供される。
【００１０】
また、前記第２の筐体は、複数の第６の開口を有し、前記電子ユニットは、デジタルアンテナ及び音声・ビデオ伝送コネクタを有し、前記デジタルアンテナ及び前記音声・ビデオ伝送コネクタは、前記第２の処理ユニットと電気的に接続され、前記デジタルアンテナ及び前記音声・ビデオ伝送コネクタは、前記第６の開口を介して前記第２の筐体から露出されることが好ましい。
【００１１】
また、前記電子ユニットは、前記第２の処理ユニットと電気的に接続されたハードディスクドライブを有することが好ましい。
【００１２】
また、前記第３の組み合わせ面の縁部と、前記第４の組み合わせ面の縁部とには、着脱自在槽がそれぞれ設けられることが好ましい。
【００１３】
また、前記第３の組み合わせ面は、第３の位置決めユニットを有し、前記第４の組み合わせ面は、第４の位置決めユニットを有することが好ましい。
【００１４】
上記課題を解決するために、本発明の第３の形態によれば、第１の本体及び第２の本体を備えたデジタルセットトップユニットであって、前記第１の本体は、第１の筐体と、前記第１の筐体内に配置された第１の拡張回路基板と、前記第１の拡張回路基板と電気的に接続された第１の回路基板と、を有し、前記第１の筐体は、第５の開口、第１の組み合わせ面及び第２の組み合わせ面を有し、前記第１の組み合わせ面は、第１の接合部を有し、前記第２の組み合わせ面は、第２の接合部を有し、前記第１の回路基板は、第１の伝送ユニットを有し、前記第１の伝送ユニットは、前記第５の開口を介して前記第１の筐体から露出され、前記第２の本体は、第２の筐体と、前記第２の筐体内に配置された第２の拡張回路基板と、前記第２の拡張回路基板と電気的に接続された第２の回路基板と、を有し、前記第２の筐体は、第３の組み合わせ面及び第４の組み合わせ面を有し、前記第３の組み合わせ面は、第３の接合部を有し、前記第４の組み合わせ面は、第４の接合部を有し、前記第１の筐体と前記第２の筐体とは、第１の接合部、第２の接合部、第３の接合部及び第４の接合部を介して組み合わされることを特徴とするデジタルセットトップユニットが提供される。
【００１５】
また、前記第１の組み合わせ面は、第１の開口を有し、前記第２の組み合わせ面は、第２の開口を有し、前記第１の拡張回路基板は、第１の電気接続ユニット及び第２の電気接続ユニットを有し、前記第１の回路基板は、第１の処理ユニットを有し、前記第１の処理ユニットは、前記第１の拡張回路基板と電気的に接続され、前記第１の伝送ユニットは、前記第１の処理ユニットと電気的に接続され、前記第１の電気接続ユニット及び前記第２の電気接続ユニットは、前記第１の開口及び前記第２の開口を介して前記第１の筐体から露出されることが好ましい。
【００１６】
また、前記第３の組み合わせ面は、第３の開口を有し、前記第４の組み合わせ面は、第４の開口を有し、前記第２の拡張回路基板は、第３の電気接続ユニット及び第４の電気接続ユニットを有し、前記第２の回路基板は、第２の処理ユニット及び電子ユニットを有し、前記第２の処理ユニットは、前記第２の拡張回路基板と電気的に接続され、前記電子ユニットは、前記第２の処理ユニットと電気的に接続され、前記第３の電気接続ユニット及び前記第４の電気接続ユニットは、前記第３の開口及び前記第４の開口を介して前記第２の筐体からそれぞれ露出されることが好ましい。
【００１７】
また、前記第３の接合部は、前記第１の本体の前記第１の接合部、前記第１の本体の前記第２の接合部、前記第２の本体の前記第３の接合部及び前記第２の本体の前記第４の接合部からなる群から選ばれる１つに接合され、前記第４の接合部は、前記第２の本体の前記第３の接合部及び前記第２の本体の前記第４の接合部からなる群から選ばれる１つに接合されることが好ましい。
【００１８】
また、前記第３の電気接続ユニットは、前記第１の本体の前記第１の電気接続ユニット、前記第１の本体の前記第２の電気接続ユニット、前記第２の本体の前記第３の電気接続ユニット及び前記第２の本体の前記第４の電気接続ユニットからなる群から選ばれる１つと電気的に接続され、前記第４の電気接続ユニットは、前記第２の本体の前記第３の電気接続ユニット及び前記第２の本体の前記第４の電気接続ユニットからなる群から選ばれる１つと電気的に接続されることが好ましい。
【００１９】
また、前記第２の筐体は、複数の第６の開口を有し、前記電子ユニットは、デジタルアンテナ及び音声・ビデオ伝送コネクタを有し、前記デジタルアンテナ及び前記音声・ビデオ伝送コネクタは、前記第２の処理ユニットと電気的に接続されるとともに、前記第６の開口を介して前記第２の筐体から露出されることが好ましい。
【００２０】
また、前記電子ユニットは、前記第２の処理ユニットと電気的に接続されたハードディスクドライブを有することが好ましい。
【００２１】
また、前記第１の筐体の前記第１の組み合わせ面の縁部と、前記第２の組み合わせ面の縁部とには、着脱自在槽がそれぞれ設けられ、前記第２の筐体の前記第３の組み合わせ面の縁部と、前記第４の組み合わせ面の縁部とには、着脱自在槽がそれぞれ設けられることが好ましい。
【００２２】
また、前記第１の組み合わせ面は、第１の位置決めユニットを有し、前記第２の組み合わせ面は、第２の位置決めユニットを有し、前記第３の組み合わせ面は、第３の位置決めユニットを有し、前記第４の組み合わせ面は、第４の位置決めユニットを有し、前記第３の位置決めユニットは、前記第１の本体の前記第１の位置決めユニット、前記第１の本体の前記第２の位置決めユニット、前記第２の本体の前記第３の位置決めユニット及び前記第２の本体の前記第４の位置決めユニットからなる群から選ばれる１つを用いて位置決めを行い、前記第４の位置決めユニットは、前記第２の本体の前記第３の位置決めユニット及び前記第２の本体の前記第４の位置決めユニットを用いて位置決めを行うことが好ましい。
【００２３】
また、前記第１の伝送ユニットは、リモコン受信器、データ伝送コネクタ、メモリカードスロット、音声・ビデオ伝送コネクタ、ネットワーク伝送コネクタ及び赤外線トランシーバからなる群から選ばれることが好ましい。
【発明の効果】
【００２４】
本発明のデジタルセットトップユニットは、ユーザの必要に応じて柔軟に拡張し、拡張しても構造一体性を維持することができる上、簡便に操作することができる。
【図面の簡単な説明】
【００２５】
【図１】図１は、本発明の第１実施形態に係るデジタルセットトップユニットの第１の本体を示す分解斜視図（１）である。
【図２】図２は、本発明の第１実施形態に係るデジタルセットトップユニットの第１の本体を示す分解斜視図（２）である。
【図３】図３は、本発明の第１実施形態に係るデジタルセットトップユニットの第１の本体を示す斜視図（１）である。
【図４】図４は、本発明の第１実施形態に係るデジタルセットトップユニットの第１の本体を示す斜視図（２）である。
【図５】図５は、本発明の第２実施形態に係るデジタルテレビの第２の本体を示す分解斜視図（１）である。
【図６】図６は、本発明の第２実施形態に係るデジタルテレビの第２の本体を示す分解斜視図（２）である。
【図７】図７は、本発明の第２実施形態に係るデジタルテレビの第２の本体を示す斜視図（１）である。
【図８】図８は、本発明の第２実施形態に係るデジタルテレビの第２の本体を示す斜視図（２）である。
【図９】図９は、本発明の第２実施形態に係るハードディスクドライブの第２の本体を示す分解斜視図（１）である。
【図１０】図１０は、本発明の第２実施形態に係るハードディスクドライブの第２の本体を示す分解斜視図（２）である。
【図１１】図１１は、本発明の第２実施形態に係るハードディスクドライブの第２の本体を示す斜視図（１）である。
【図１２】図１２は、本発明の第２実施形態に係るハードディスクドライブの第２の本体を示す斜視図（２）である。
【図１３】図１３は、本発明の第３実施形態に係るデジタルセットトップユニットを示す分解斜視図である。
【図１４】図１４は、本発明の第３実施形態に係るデジタルセットトップユニットを示す斜視図である。
【発明を実施するための形態】
【００２６】
以下、本発明の実施形態について図に基づいて説明する。なお、これによって本発明が限定されるものではない。
【００２７】
（第１実施形態）
図１〜図４を参照する。図１は、本発明の第１実施形態に係るデジタルセットトップユニットの第１の本体を示す分解斜視図（１）である。図２は、本発明の第１実施形態に係るデジタルセットトップユニットの第１の本体を示す分解斜視図（２）である。図３は、本発明の第１実施形態に係るデジタルセットトップユニットの第１の本体を示す斜視図（１）である。図４は、本発明の第１実施形態に係るデジタルセットトップユニットの第１の本体を示す斜視図（２）である。図１〜図４に示すように、本発明の第１実施形態に係るデジタルセットトップユニットの第１の本体１は、少なくとも第１の筐体１１、第１の拡張回路基板１２及び第１の回路基板１３から構成される。第１の筐体１１は、左右の筐体を組み合わせて形成され、矩形体又はその他２つの並行面を有する立方体でもよい。第１の筐体１１は、第５の開口１１３、第１の組み合わせ面１１１及び第２の組み合わせ面１１２を有する。第１の組み合わせ面１１１は、第１の接合部１１１１及び第１の開口１１１２を有する。第２の組み合わせ面１１２と第１の組み合わせ面１１１とは平行で、第２の接合部１１２１及び第２の開口１１２２を有する。第１の接合部１１１１及び第２の接合部１１２１は、デジタルセットトップユニットの第２の本体２（図１３参照）を接合するために用いる。第１の拡張回路基板１２は、第１の筐体１１内に設置される。第１の拡張回路基板１２は、第１の電気接続ユニット１２１及び第２の電気接続ユニット１２２を有する。第１の電気接続ユニット１２１及び第２の電気接続ユニット１２２は、第１の開口１１１２及び第２の開口１１２２を介して第１の筐体１１から露出されるとともに、デジタルセットトップユニットの第２の本体２（図１３参照）と電気的に接続される。第１の回路基板１３は、第１の筐体１１内に設置される。第１の回路基板１３は、第１の拡張回路基板１２と電気的に接続（挿着）される。第１の回路基板１３は、第１の処理ユニット１３１、第１の伝送ユニット１３２及び電源ユニット１３３を有する。第１の処理ユニット１３１は、第１の拡張回路基板１２と電気的に接続される。電源ユニット１３３及び第１の伝送ユニット１３２は、第１の処理ユニット１３１と電気的に接続されるとともに、第５の開口１１３を介して第１の筐体１１から露出される。この構成により、本実施形態に係るデジタルセットトップユニットの第１の本体１は、第１の組み合わせ面１１１の第１の接合部１１１１、第２の組み合わせ面１１２の第２の接合部１１２１、第１の拡張回路基板１２の第１の電気接続ユニット１２１及び第２の電気接続ユニット１２２を介し、デジタルセットトップユニットの第２の本体２へ取り付け、ユーザの必要に応じてデジタルセットトップユニットの第１の本体１の両側からデジタルセットトップユニットの第２の本体２を拡張し、第１の本体１から電源を供給し、拡張しても構造的一体性を維持することができる上、デジタルセットトップユニットの第１の本体１を簡便に操作することができる。
【００２８】
上述の第１の筐体１１は、デジタルセットトップユニットの第１の本体１の動作性能を高めるために、第１の組み合わせ面１１１及び第２の組み合わせ面１１２以外の箇所（例えば、頂面、底面及び後面）に複数の放熱孔１１４を設けてもよい。
【００２９】
上述の第１の筐体１１は、デジタルセットトップユニットの第１の本体１と第２の本体２とを分離させる際、ユーザが力を加えることができるように、第１の組み合わせ面１１１の後側又は下側の縁部、及び第２の組み合わせ面１１２の後側又は下側の縁部に着脱自在槽１１１３，１１２３がそれぞれ設けられている。デジタルセットトップユニットの第１の本体１と第２の本体２とを分離させる際、ユーザは両手の指先を着脱自在槽１１１３，１１２３中に差し込んで互いに反対方向へ力を加えると、デジタルセットトップユニットの第１の本体１と第２の本体２とを分離させることができる。
【００３０】
第１の組み合わせ面１１１は、第１の位置決めユニット１１１４を有する。第２の組み合わせ面１１２は、第２の位置決めユニット１１２４を有する。第１の位置決めユニット１１１４及び第２の位置決めユニット１１２４は、デジタルセットトップユニットの第２の本体２（図１３参照）を位置決めするために用いる。デジタルセットトップユニットの第２の本体２を第１の本体１へ取り付ける際、第２の本体２は、第１の本体１の第１の位置決めユニット１１１４又は第２の位置決めユニット１１２４を介して第１の本体１に対する位置を調整して位置決めした後、第１の接合部１１１１又は第２の接合部１１２１により第１の本体１に取り付けられる。
【００３１】
第１の位置決めユニット１１１４及び第２の位置決めユニット１１２４は、位置決めピン及び位置決め凹溝からなる群から選ばれる１つからなる。デジタルセットトップユニットの第１の本体１の第１の位置決めユニット１１１４又は第２の位置決めユニット１１２４が位置決めピンである場合、デジタルセットトップユニットの第２の本体２は、第１の本体１の位置決めピンに対応した位置決め凹溝を有する。デジタルセットトップユニットの第１の本体１の第１の位置決めユニット１１１４又は第２の位置決めユニット１１２４が位置決め凹溝である場合、デジタルセットトップユニットの第２の本体２は、第１の本体１の位置決め凹溝に対応した位置決めピンを有する（図１３参照）。
【００３２】
第１の接合部１１１１及び第２の接合部１１２１は、弾性フック及び接合孔からなる群から選ばれる１つからなる。デジタルセットトップユニットの第１の本体１に設けた第１の接合部１１１１又は第２の接合部１１２１が弾性フックである場合、デジタルセットトップユニットの第２の本体２には、第１の本体１の弾性フックに対応した接合孔が設けられている。デジタルセットトップユニットの第１の本体１の第１の接合部１１１１又は第２の接合部１１２１が接合孔である場合、デジタルセットトップユニットの第２の本体２は、第１の本体１の接合孔に対応した弾性フックを有する（図１３参照）。
【００３３】
第１の電気接続ユニット１２１及び第２の電気接続ユニット１２２のそれぞれは、雄コンタクト及び雌コンタクトからなる群から選ばれる１つからなる。デジタルセットトップユニットの第１の本体１に設けた第１の電気接続ユニット１２１又は第２の電気接続ユニット１２２が雄コンタクトである場合、デジタルセットトップユニットの第２の本体２は、第１の本体１の雄コンタクトに対応した雌コンタクトを有する。デジタルセットトップユニットの第１の本体１の第１の電気接続ユニット１２１又は第２の電気接続ユニット１２２が雌コンタクトである場合、デジタルセットトップユニットの第２の本体２は、第１の本体１の雌コンタクトに対応した雄コンタクトを有する（図１３参照）。
【００３４】
上述の第１の伝送ユニット１３２は、リモコン受信器１３２１、データ伝送コネクタ１３２２、音声・ビデオ伝送コネクタ１３２３、ネットワーク伝送コネクタ１３２４及び赤外線トランシーバ１３２５からなる群から選ばれる。
【００３５】
（第２実施形態）
図５〜図１２を参照する。図５は、本発明の第２実施形態に係るデジタルテレビの第２の本体を示す分解斜視図（１）である。図６は、本発明の第２実施形態に係るデジタルテレビの第２の本体を示す分解斜視図（２）である。図７は、本発明の第２実施形態に係るデジタルテレビの第２の本体を示す斜視図（１）である。図８は、本発明の第２実施形態に係るデジタルテレビの第２の本体を示す斜視図（２）である。図９は、本発明の第２実施形態に係るハードディスクドライブの第２の本体を示す分解斜視図（１）である。図１０は、本発明の第２実施形態に係るハードディスクドライブの第２の本体を示す分解斜視図（２）である。図１１は、本発明の第２実施形態に係るハードディスクドライブの第２の本体を示す斜視図（１）である。図１２は、本発明の第２実施形態に係るハードディスクドライブの第２の本体を示す斜視図（２）である。図５〜図１２に示すように、本発明の第２実施形態に係るデジタルセットトップユニットの第２の本体２は、少なくとも第２の筐体２１、第２の拡張回路基板２２及び第２の回路基板２３から構成される。第２の筐体２１は、左右の筐体を組み合わせて形成されるとともに、矩形体又はその他２つの並行面を有する立方体でもよい。第２の筐体２１は、第３の組み合わせ面２１１及び第４の組み合わせ面２１２を有する。第３の組み合わせ面２１１は、第３の接合部２１１１及び第３の開口２１１２を有する。第４の組み合わせ面２１２は、第３の組み合わせ面２１１と平行であり、第４の接合部２１２１及び第４の開口２１２２を有する。第３の接合部２１１１は、デジタルセットトップユニットの第１の本体１及び第２の本体２からなる群から選ばれる１つに接合するために用いる（図１３参照）。第４の接合部２１２１は、デジタルセットトップユニットの第２の本体２を接合するために用いる。第２の拡張回路基板２２は、第２の筐体２１内に配置されるとともに、第３の電気接続ユニット２２１及び第４の電気接続ユニット２２２を有する。第３の電気接続ユニット２２１及び第４の電気接続ユニット２２２は、第３の開口２１１２及び第４の開口２１２２を介して第２の筐体２１から露出される。第３の電気接続ユニット２２１は、デジタルセットトップユニットの第１の本体１及び第２の本体２からなる群から選ばれる１つと電気的に接続するために用いる（図１３参照）。第４の電気接続ユニット２２２は、第２の本体２と電気的に接続するために用いる。第２の回路基板２３は、第２の筐体２１内に配置されるとともに、第２の拡張回路基板２２と電気的に接続（挿着）される。第２の回路基板２３は、第２の処理ユニット２３１及び電子ユニット２３２を有する。第２の処理ユニット２３１は、第２の拡張回路基板２２と電気的に接続される。電子ユニット２３２は、第２の処理ユニット２３１と電気的に接続される。この構成により、本実施形態に係るデジタルセットトップユニットの第２の本体２は、第３の組み合わせ面２１１の第３の接合部２１１１、第４の組み合わせ面２１２の第４の接合部２１２１、第２の拡張回路基板２２の第３の電気接続ユニット２２１及び第４の電気接続ユニット２２２により、デジタルセットトップユニットの第１の本体１へ取り付けることができる。即ち、デジタルセットトップユニットの第１の本体１の両側には、ユーザの必要に応じてデジタルセットトップユニットの第２の本体２を接合させて拡張するとともに第１の本体１から電源を供給し、拡張しても構造的一体性を維持することができる上、デジタルセットトップユニットの第１の本体１を簡便に操作することができる。
【００３６】
図５〜図８を参照する。図５〜図８に示すように、上述の第２の筐体２１の後面には、複数の第６の開口２１３が設けられる。電子ユニット２３２は、デジタルアンテナ２３２１及び音声・ビデオ伝送コネクタ２３２２を有する。デジタルアンテナ２３２１及び音声・ビデオ伝送コネクタ２３２２は、第２の処理ユニット２３１と電気的に接続される。デジタルアンテナ２３２１及び音声・ビデオ伝送コネクタ２３２２は、第６の開口２１３を介して第２の筐体２１から露出される。この構成により、本実施形態のデジタルセットトップユニットの第２の本体２は、デジタルセットトップユニットの第１の本体１のデジタルテレビ機能を拡張しても構造的一体性を維持することができる上、第１の本体１により操作を行うこともできる。
【００３７】
図９〜図１２を参照する。図９〜図１２に示すように、上述の電子ユニット２３２は、ハードディスクドライブ２３２３を有する。ハードディスクドライブ２３２３は、第２の処理ユニット２３１と電気的に接続される。本実施形態に係るデジタルセットトップユニットの第２の本体２は、デジタルセットトップユニットの第１の本体１によりアクセス空間を拡張することができる上、第１の本体１により操作を行うこともできる。
【００３８】
第２の筐体２１は、第３の組み合わせ面２１１及び第４の組み合わせ面２１２以外の箇所（例えば、頂面、底面及び後面）に設けられた複数の放熱孔２１４により、デジタルセットトップユニットの第２の本体２の動作性能を高めることができる。
【００３９】
第２の筐体２１は、第３の組み合わせ面２１１の後側又は下側の縁部、及び第４の組み合わせ面２１２の後側又は下側の縁部に設けた着脱自在槽２１１３，２１２３をそれぞれ有し、デジタルセットトップユニットの第１の本体１と第２の本体２とを分離させる際にユーザが力を加える箇所として用いる。ユーザがデジタルセットトップユニットの第１の本体１と第２の本体２とを分離させる際、ユーザは両手の指先を着脱自在槽２１１３，２１２３中へ差し入れて互いに反対方向へ力を加えると、デジタルセットトップユニットの第１の本体１と第２の本体２とを分離させることができる。
【００４０】
第３の組み合わせ面２１１は、第３の位置決めユニット２１１４を有する。第４の組み合わせ面２１２は、第４の位置決めユニット２１２４を有する。第３の位置決めユニット２１１４は、デジタルセットトップユニットの第１の本体１及び第２の本体２からなる群から選ばれる１つに位置決めするために用いる（図１３参照）。第４の位置決めユニット２１２４は、デジタルセットトップユニットの第２の本体２を位置決めするために用いる。デジタルセットトップユニットの第２の本体２を第１の本体１へ組み合わせる際、第２の本体２は、第３の位置決めユニット２１１４又は第４の位置決めユニット２１２４を介して第１の本体１の位置を調整し、第２の本体２の第３の接合部２１１１又は第４の接合部２１２１を介して第１の本体１に取り付けられる。
【００４１】
第３の位置決めユニット２１１４及び第４の位置決めユニット２１２４は、位置決めピン及び位置決め凹溝からなる群から選ばれる１つからなる。図５〜図８に示すように、デジタルセットトップユニットの第２の本体２の第４の位置決めユニット２１２４が位置決めピンである場合、デジタルセットトップユニットの第１の本体１は、第２の本体２の位置決めピンに対応した位置決め凹溝を有する。デジタルセットトップユニットの第２の本体２の第３の位置決めユニット２１１４が位置決め凹溝である場合、デジタルセットトップユニットの第２の本体２は、第２の本体２の位置決め凹溝に対応した位置決めピンを有する。また、図９〜図１２に示すように、デジタルセットトップユニットの第２の本体２の第３の位置決めユニット２１１４が位置決めピンである場合、デジタルセットトップユニットの第１の本体１は、第２の本体２の位置決めピンに対応した位置決め凹溝を有する。デジタルセットトップユニットの第２の本体２の第４の位置決めユニット２１２４が位置決め凹溝である場合、デジタルセットトップユニットの第２の本体２は、第２の本体２の位置決め凹溝に対応した位置決めピンを有する。
【００４２】
第３の接合部２１１１及び第４の接合部２１２１は、弾性フック及び接合孔からなる群から選ばれる１つからなる。図５〜図８に示すように、デジタルセットトップユニットの第２の本体２の第４の接合部２１２１が弾性フックである場合、デジタルセットトップユニットの第１の本体１には、第２の本体２の弾性フックに対応した接合孔が設けられる。デジタルセットトップユニットの第２の本体２の第３の接合部２１１１が接合孔である場合、デジタルセットトップユニットの第２の本体２は、第２の本体２の接合孔に対応した弾性フックを有する。図９〜図１２に示すように、デジタルセットトップユニットの第２の本体２の第３の接合部２１１１が弾性フックである場合、デジタルセットトップユニットの第１の本体１には、第２の本体２の弾性フックに対応した接合孔が設けられる。デジタルセットトップユニットの第２の本体２に設けられた第４の接合部２１２１が接合孔である場合、デジタルセットトップユニットの第２の本体２は、第２の本体２の接合孔に対応した弾性フックを有する。
【００４３】
第３の電気接続ユニット２２１及び第４の電気接続ユニット２２２のそれぞれは、雄コンタクト及び雌コンタクトからなる群から選ばれる１つからなる。図５〜図８に示すように、デジタルセットトップユニットの第２の本体２の第４の電気接続ユニット２２２が雄コンタクトである場合、デジタルセットトップユニットの第１の本体１は、第２の本体２の雄コンタクトに対応した雌コンタクトを有する。デジタルセットトップユニットの第２の本体２の第３の電気接続ユニット２２１が雌コンタクトである場合、デジタルセットトップユニットの第２の本体２は、第２の本体２の雌コンタクトに対応した雄コンタクトを有する。図９〜図１２に示すように、デジタルセットトップユニットの第２の本体２の第４の電気接続ユニット２２２が雌コンタクトである場合、デジタルセットトップユニットの第２の本体２は、第２の本体２の雌コンタクトに対応した雄コンタクトを有する。デジタルセットトップユニットの第２の本体２の第３の電気接続ユニット２２１が雄コンタクトである場合、デジタルセットトップユニットの第１の本体１は、第２の本体２の雄コンタクトに対応した雌コンタクトを有する。
【００４４】
第３の接合部２１１１は、デジタルセットトップユニットの第１の本体１及び第２の本体２からなる群から選ばれる１つに接合するために用いる（図９〜図１３参照）。また第４の接合部２１２１は、デジタルセットトップユニットの第２の本体２及び側部化粧パネル３１からなる群から１つへ接合するために用いる（図９〜図１３参照）。第４の接合部２１２１は、デジタルセットトップユニットの第１の本体１及び第２の本体２からなる群から選ばれる１つに接合するために用いる（図５〜図８及び図１３参照）。第３の接合部２１１１は、デジタルセットトップユニットの第２の本体２及び側部化粧パネル３１からなる群から選ばれる１つに接合するために用いる（図５〜図８及び図１３参照）。側部化粧パネル３１は、位置決めピンと第２の本体２の位置決め凹溝とを介して位置決めした後、第２の本体２の接合孔に弾性フックを接合させる。
【００４５】
（第３実施形態）
以下、図１３及び図１４と併せて図１〜図１２も参照する。図１３は、本発明の第３実施形態に係るデジタルセットトップユニットを示す分解斜視図である。図１４は、本発明の第３実施形態に係るデジタルセットトップユニットを示す斜視図である。本発明の第３実施形態に係るデジタルセットトップユニット３は、少なくとも第１の本体１及び第２の本体２から構成される。第１の本体１は、第１の筐体１１、第１の拡張回路基板１２及び第１の回路基板１３を含む。第１の筐体１１は、左右の筐体を組み合わせて形成され、矩形体又はその他２つの並行面を有する立方体でもよい。第１の筐体１１は、第５の開口１１３、第１の組み合わせ面１１１及び第２の組み合わせ面１１２を有する。第１の組み合わせ面１１１は、第１の接合部１１１１及び第１の開口１１１２を有する。第２の組み合わせ面１１２と第１の組み合わせ面１１１とは平行であり、第２の接合部１１２１及び第２の開口１１２２を有する。第１の拡張回路基板１２は、第１の筐体１１内に配置されるとともに、第１の電気接続ユニット１２１及び第２の電気接続ユニット１２２を有する。第１の電気接続ユニット１２１及び第２の電気接続ユニット１２２は、第１の開口１１１２及び第２の開口１１２２を介して第１の筐体１１から露出される。第１の回路基板１３は、第１の筐体１１内に配置されるとともに、第１の拡張回路基板１２と電気的に接続（挿着）される。第１の回路基板１３は、第１の処理ユニット１３１、第１の伝送ユニット１３２及び電源ユニット１３３を有する。第１の処理ユニット１３１は、第１の拡張回路基板１２と電気的に接続される。電源ユニット１３３及び第１の伝送ユニット１３２は、第１の処理ユニット１３１と電気的に接続されるとともに、第５の開口１１３を介して第１の筐体１１から露出される。第２の本体２は、第２の筐体２１、第２の拡張回路基板２２及び第２の回路基板２３を含む。第２の筐体２１は、左右の筐体を組み合わせて形成され、矩形体又はその他２つの並行面を有する立方体でもよい。第２の筐体２１は、第３の組み合わせ面２１１及び第４の組み合わせ面２１２を有する。第３の組み合わせ面２１１は、第３の接合部２１１１及び第３の開口２１１２を有する。第４の組み合わせ面２１２は、第３の組み合わせ面２１１と平行であるとともに、第４の接合部２１２１及び第４の開口２１２２を有する。第３の接合部２１１１は、第１の本体１の第１の接合部１１１１、第１の本体１の第２の接合部１１２１、第２の本体２の第３の接合部２１１１及び第２の本体２の第４の接合部２１２１からなる群から選ばれる１つに接合するために用いる。第４の接合部２１２１は、第２の本体２の第３の接合部２１１１及び第２の本体２の第４の接合部２１２１からなる群から選ばれる１つに接合するために用いる。第２の拡張回路基板２２は、第２の筐体２１内に配置される。第２の拡張回路基板２２は、第３の電気接続ユニット２２１及び第４の電気接続ユニット２２２を有する。第３の電気接続ユニット２２１及び第４の電気接続ユニット２２２は、第３の開口２１１２及び第４の開口２１２２を介して第２の筐体２１から露出される。第３の電気接続ユニット２２１は、第１の本体１の第１の電気接続ユニット１２１、第１の本体１の第２の電気接続ユニット１２２、第２の本体２の第３の電気接続ユニット２２１及び第２の本体２の第４の電気接続ユニット２２２からなる群から選ばれる１つと電気的に接続するために用いる。第４の電気接続ユニット２２２は、第２の本体２の第３の電気接続ユニット２２１及び第２の本体２の第４の電気接続ユニット２２２からなる群から選ばれる１つと電気的に接続するために用いる。第２の回路基板２３は、第２の筐体２１内に配置されるとともに、第２の拡張回路基板２２と電気的に接続（挿着）される。第２の回路基板２３は、第２の処理ユニット２３１及び電子ユニット２３２を有する。第２の処理ユニット２３１は、第２の拡張回路基板２２と電気的に接続される。電子ユニット２３２は、第２の処理ユニット２３１と電気的に接続される。この構成により、本実施形態に係るデジタルセットトップユニットの第１の本体１及び第２の本体２は、第１の組み合わせ面１１１の第１の接合部１１１１、第２の組み合わせ面１１２の第２の接合部１１２１、第１の拡張回路基板１２の第１の電気接続ユニット１２１及び第２の電気接続ユニット１２２を介し、第３の組み合わせ面２１１の第３の接合部２１１１、第４の組み合わせ面２１２の第４の接合部２１２１、第２の拡張回路基板２２の第３の電気接続ユニット２２１及び第４の電気接続ユニット２２２へ取り付け、ユーザの必要に応じてデジタルセットトップユニットの第１の本体１の両側からデジタルセットトップユニットの第２の本体２を柔軟に拡張し、第１の本体１から電源を供給し、拡張しても構造的一体性を維持することができる上、デジタルセットトップユニットの第１の本体１を簡便に操作することができる。
【００４６】
第１の筐体１１には、第１の組み合わせ面１１１及び第２の組み合わせ面１１２以外の箇所（例えば、頂面、底面及び後面）に複数の放熱孔１１４を設けるとともに、第２の筐体２１には、第３の組み合わせ面２１１及び第４の組み合わせ面２１２以外の箇所（例えば、頂面、底面及び後面）に複数の放熱孔１１４を設けてデジタルセットトップユニットの第１の本体１及び第２の本体２の動作性能を高めてもよい。
【００４７】
第１の筐体１１は、第１の組み合わせ面１１１の後側又は下側の縁部、及び第２の組み合わせ面１１２の後側又は下側の縁部へ着脱自在槽１１１３，１１２３をそれぞれ配置するとともに、第２の筐体２１は、第３の組み合わせ面２１１の後側又は下側の縁部、及び第４の組み合わせ面２１２の後側又は下側の縁部に着脱自在槽２１１３，２１２３がそれぞれ設けられ、ユーザがデジタルセットトップユニットの第１の本体１と第２の本体２とを分離させる際、そこに力を加える。デジタルセットトップユニットの第１の本体１と第２の本体２とを分離させる際、ユーザは、両手の指先を着脱自在槽１１１３，１１２３，２１１３，２１２３中に差し込んで互いに反対方向へ力を加え、デジタルセットトップユニットの第１の本体１と第２の本体２とを分離させる。
【００４８】
第１の組み合わせ面１１１は、第１の位置決めユニット１１１４を有する。第２の組み合わせ面１１２は、第２の位置決めユニット１１２４を有する。第３の組み合わせ面２１１は、第３の位置決めユニット２１１４を有する。第４の組み合わせ面２１２は、第４の位置決めユニット２１２４を有する。第３の位置決めユニット２１１４は、第１の本体１の第１の位置決めユニット１１１４、第１の本体１の第２の位置決めユニット１１２４、第２の本体２の第３の位置決めユニット２１１４及び第２の本体２の第４の位置決めユニット２１２４からなる群から選ばれる１つにより位置決めするために用いる。第４の位置決めユニット２１２４は、第２の本体２の第３の位置決めユニット２１１４及び第２の本体２の第４の位置決めユニット２１２４からなる群から選ばれる１つにより位置決めするために用いる。デジタルセットトップユニットの第２の本体２を第１の本体１へ取り付ける際、第２の本体２は、第３の位置決めユニット２１１４又は第４の位置決めユニット２１２４を介し、第１の本体１の第１の位置決めユニット１１１４又は第２の位置決めユニット１１２４の位置を調整して位置決めした後、第２の本体２の第３の接合部２１１１又は第４の接合部２１２１を介し、第１の本体１の第１の接合部１１１１又は第２の接合部１１２１へ取り付ける。
【００４９】
第３の位置決めユニット２１１４及び第４の位置決めユニット２１２４は、位置決めピン及び位置決め凹溝からなる群から選ばれる１つからなる。図５〜図８に示すように、デジタルセットトップユニットの第２の本体２に設けた第４の位置決めユニット２１２４が位置決めピンである場合、デジタルセットトップユニットの第１の本体１に設けた第１の位置決めユニット１１１４は、第２の本体２の位置決めピンに対応した位置決め凹溝を有する。デジタルセットトップユニットの第２の本体２に設けた第３の位置決めユニット２１１４が位置決め凹溝である場合、デジタルセットトップユニットの第２の本体２に設けた第４の位置決めユニット２１２４は、第２の本体２の位置決め凹溝に対応した位置決めピンである。また、図９〜図１２に示すように、デジタルセットトップユニットの第２の本体２に設けた第３の位置決めユニット２１１４が位置決めピンである場合、デジタルセットトップユニットの第１の本体１に設けた第２の位置決めユニット１１２４は、第２の本体２の位置決めピンに対応した位置決め凹溝である。デジタルセットトップユニットの第２の本体２に設けた第４の位置決めユニット２１２４が位置決め凹溝である場合、デジタルセットトップユニットの第２の本体２に設けた第３の位置決めユニット２１１４は、第２の本体２の位置決め凹溝に対応した位置決めピンである。
【００５０】
第１の接合部１１１１、第２の接合部１１２１、第３の接合部２１１１及び第４の接合部２１２１は、弾性フック及び接合孔からなる群から選ばれる１つからなる。図５〜図８に示すように、デジタルセットトップユニットの第２の本体２に設けた第４の接合部２１２１が弾性フックである場合、デジタルセットトップユニットの第１の本体１に設けた第１の接合部１１１１は、第２の本体２の弾性フックに対応した接合孔である。デジタルセットトップユニットの第２の本体２に設けた第３の接合部２１１１が接合孔である場合、デジタルセットトップユニットの第２の本体２に設けた第４の接合部２１２１は、第２の本体２の接合孔に対応した弾性フックである。図９〜図１２を参照する。図９〜図１２に示すように、デジタルセットトップユニットの第２の本体２に設けた第３の接合部２１１１が弾性フックである場合、デジタルセットトップユニットの第１の本体１に設けた第２の接合部１１２１は、第２の本体２の弾性フックに対応した接合孔であり、デジタルセットトップユニットの第２の本体２に設けた第４の接合部２１２１が接合孔である場合、デジタルセットトップユニットの第２の本体２に設けた第３の接合部２１１１は、第２の本体２の接合孔に対応した弾性フックである。
【００５１】
第１の電気接続ユニット１２１、第２の電気接続ユニット１２２、第３の電気接続ユニット２２１及び第４の電気接続ユニット２２２のそれぞれは、雄コンタクト及び雌コンタクトからなる群から選ばれる１つからなる。図５〜図８に示すように、デジタルセットトップユニットの第２の本体２に設けた第４の電気接続ユニット２２２が雄コンタクトである場合、デジタルセットトップユニットの第１の本体１に設けた第１の電気接続ユニット１２１は、第２の本体２の雄コンタクトに対応した雌コンタクトである。デジタルセットトップユニットの第２の本体２に設けた第３の電気接続ユニット２２１が雌コンタクトである場合、デジタルセットトップユニットの第２の本体２に設けた第４の電気接続ユニット２２２は、第２の本体２の雌コンタクトに対応した雄コンタクトである。また、図９〜図１２に示すように、デジタルセットトップユニットの第２の本体２に設けた第４の電気接続ユニット２２２が雌コンタクトである場合、デジタルセットトップユニットの第２の本体２に設けた第３の電気接続ユニット２２１は、第２の本体２の雌コンタクトに対応した雄コンタクトである。デジタルセットトップユニットの第２の本体２に設けた第３の電気接続ユニット２２１が雄コンタクトである場合、デジタルセットトップユニットの第１の本体１に設けた第２の電気接続ユニット１２２は、第２の本体２の雄コンタクトに対応した雌コンタクトである。
【００５２】
図５〜図８及び図１３を参照する。図５〜図８及び図１３に示すように、第３の接合部２１１１は、第２の本体２の第４の接合部２１２１及び側部化粧パネル３１からなる群から選ばれる１つに接合される。第４の接合部２１２１は、第１の本体１の第１の接合部１１１１及び第２の本体２の第３の接合部２１１１からなる群から選ばれる１つに接合される。また、側部化粧パネル３１は、位置決めピンと第２の本体２の位置決め凹溝とにより位置決めした後、第２の本体２の接合孔に接合させる弾性フックを有する。
【００５３】
図９〜図１３を参照する。図９〜図１３に示すように、上述の第３の接合部２１１１は、第１の本体１の第２の接合部１１２１及び第２の本体２の第４の接合部２１２１からなる群から選ばれる１つに接合される。第４の接合部２１２１は、第２の本体２の第３の接合部２１１１及び側部化粧パネル３１からなる群から選ばれる１つに接合される。側部化粧パネル３１は、位置決めピンと、第２の本体２の位置決め凹溝とを介して位置決めした後、第２の本体２の接合孔に弾性フックを接合させる。
【００５４】
第１の伝送ユニット１３２は、リモコン受信器、データ伝送コネクタ、メモリカードスロット、音声・ビデオ伝送コネクタ、ネットワーク伝送コネクタ及び赤外線トランシーバからなる群から選ばれる。
【００５５】
図５〜図８を参照する。図５〜図８に示すように、上述の第２の筐体２１の後面には、複数の第６の開口２１３が設けられる。電子ユニット２３２は、デジタルアンテナ２３２１及び音声・ビデオ伝送コネクタ２３２２を有する。デジタルアンテナ２３２１及び音声・ビデオ伝送コネクタ２３２２は、第２の処理ユニット２３１と電気的に接続される。デジタルアンテナ２３２１及び音声・ビデオ伝送コネクタ２３２２は、複数の第６の開口２１３を介して第２の筐体２１から露出される。この構成により、本実施形態のデジタルセットトップユニットの第２の本体２は、デジタルセットトップユニットの第１の本体１によりデジタルテレビの機能を拡張しても構造的一体性を維持することができる上、第１の本体１により簡便に操作することができる。
【００５６】
図９〜図１２を参照する。図９〜図１２に示すように、上述の電子ユニット２３２は、ハードディスクドライブ２３２３を有する。このハードディスクドライブ２３２３は、第２の処理ユニット２３１と電気的に接続される。この構成により、本実施形態のデジタルセットトップユニットの第２の本体２は、デジタルセットトップユニットの第１の本体１によりアクセス空間を拡張しても構造的一体性を維持することができる上、第１の本体１により簡便に操作することができる。
【００５７】
本発明のデジタルセットトップユニットの第１の本体１は、第２の本体２のデジタルテレビ及びアクセス空間の機能を拡張させることができる上、上で述べた同様の方式により、第２の本体２のネットワーク、コンピュータゲームなどの機能を拡張させることもできる。
【００５８】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５９】
１  第１の本体
２  第２の本体
３  デジタルセットトップユニット
１１  第１の筐体
１２  第１の拡張回路基板
１３  第１の回路基板
２１  第２の筐体
２２  第２の拡張回路基板
２３  第２の回路基板
３１  側部化粧パネル
１１１  第１の組み合わせ面
１１２  第２の組み合わせ面
１１３  第５の開口
１１４  放熱孔
１２１  第１の電気接続ユニット
１２２  第２の電気接続ユニット
１３１  第１の処理ユニット
１３２  第１の伝送ユニット
１３３  電源ユニット
２１１  第３の組み合わせ面
２１２  第４の組み合わせ面
２１３  第６の開口
２１４  放熱孔
２２１  第３の電気接続ユニット
２２２  第４の電気接続ユニット
２３１  第２の処理ユニット
２３２  電子ユニット
１１１１  第１の接合部
１１１２  第１の開口
１１１３  着脱自在槽
１１１４  第１の位置決めユニット
１１２１  第２の接合部
１１２２  第２の開口
１１２３  着脱自在槽
１１２４  第２の位置決めユニット
１３２１  リモコン受信器
１３２２  データ伝送コネクタ
１３２３  音声・ビデオ伝送コネクタ
１３２４  ネットワーク伝送コネクタ
１３２５  赤外線トランシーバ
２１１１  第３の接合部
２１１２  第３の開口
２１１３  着脱自在槽
２１１４  第３の位置決めユニット
２１２１  第４の接合部
２１２２  第４の開口
２１２３  着脱自在槽
２１２４  第４の位置決めユニット
２３２１  デジタルアンテナ
２３２２  音声・ビデオ伝送コネクタ
２３２３  ハードディスクドライブ
【図１】
2013126251.tif 000003
【図２】
2013126251.tif 000004
【図３】
2013126251.tif 000005
【図４】
2013126251.tif 000006
【図５】
2013126251.tif 000007
【図６】
2013126251.tif 000008
【図７】
2013126251.tif 000009
【図８】
2013126251.tif 000010
【図９】
2013126251.tif 000011
【図１０】
2013126251.tif 000012
【図１１】
2013126251.tif 000013
【図１２】
2013126251.tif 000014
【図１３】
2013126251.tif 000015
【図１４】
2013126251.tif 000016